(57)【要約】【課題】  一目で参加者が実際の調理済み食品のできあがりのイメージを把握でき、しかも低コストかつ迅速に大量生産が可能で、持ち運びも便利な商品展示会用の装置を提供する。【解決手段】  食品の写真または絵を施したプラスチックシートを当該食品の立体形状に沿ってシート成形した食品立体見本１と、上記食品立体見本を着脱自在に取り付けるための、プラスチックシートをシート成形した食器１０の組み合わせからなり、上記食器には食品立体見本を受け止めるための受け部１１を設けることにより食品立体見本の着脱手段とし、食器の受け部の形状および寸法と、食品立体見本の被受け部３の形状および寸法を統一することにより、複数種の食品立体見本と複数種の食器を相互に組み合わせ自在とする。【選択図】      図１
0003158639.tif 000002
【実用新案登録請求の範囲】
【請求項１】
食品の写真または絵を施したプラスチックシートを当該食品の立体形状に沿ってシート成形した食品立体見本と、上記食品立体見本を着脱自在に取り付けるための、プラスチックシートをシート成形した食器の組み合わせからなり、上記食器には食品立体見本を受け止めるための受け部を設けることにより食品立体見本の着脱手段とし、食器の受け部の形状および寸法と、食品立体見本の被受け部の形状および寸法を統一することにより、複数種の食品立体見本と複数種の食器を相互に組み合わせ自在としたことを特徴とする商品展示会用装置。
【請求項２】
食器に係合段部を設けることにより食器側の受け部とすると共に、食品立体見本の下縁からフランジ状の張り出し箇所を張り出させることにより食品立体見本側の被受け部とした請求項１記載の商品展示会用装置。
【請求項３】
食品の写真または絵はプラスチックシートに印刷により施される請求項１または２に記載の商品展示会用装置。
【請求項４】
食品の写真または絵を印刷したフィルムをプラスチックシートに積層した請求項１から３のいずれかに記載の商品展示会用装置。
【考案の詳細な説明】
【技術分野】
【０００１】
この考案は、店舗販売される調理済み食品の商談や広告のための展示会で使用する装置に関する。
【背景技術】
【０００２】
食品工場で大量生産した調理済みの食品を食器に収容し、これを冷蔵や冷凍状態で流通し、店舗販売する業態が生活にかかせない食品の一分野として普及している（例えば、特許文献１、非特許文献１）。
【０００３】
これらは、飲食店で一品づつ調製される料理品と異なり、転々流通したり店頭販売することが可能な「商品」なので、通常の商品同様、取引先との商談や新製品の紹介のための展示会への出展の対象となり、これらを展示会場に持ち込んで商談や広告の用に供することが行われていた。
【先行技術文献】
【特許文献】
【０００４】
【特許文献１】特許第３５４４３６３号公報
【非特許文献１】インターネットホームページ「とれたてキッチン」http://www.ampm.jp/menu/toretatekitchen/newmenu.html
【考案の概要】
【考案が解決しようとする課題】
【０００５】
しかしながら、対象となる商品はあくまでも調理済みの食品で、その本質は料理品であるので、通常の商品の場合とは異なる次の問題が生じた。
(1) 長時間放置すると腐敗などの変質を来すので、長く展示できず、また、展示会場への搬送にも最新の注意を払わなければならなかった。
(2) そのままの状態で飲食可能な冷蔵食品はともかくも、解凍・加熱処理を有する食器入りの冷凍食品の場合は展示会場に電子レンジなどを持ち込まなければならなかった。
(3) 食器の蓋を明けないと食品の正確な姿が見えない商品の場合、食品特有の匂いが会場に充満するおそれがあった。
【０００６】
ところで、調理済み食品のサンプルとして、わが国では古くから飲食店の店頭のショーケースに食品模型が展示されていた。この食品見本としては蝋細工により製作されたり、型に塩化ビニール樹脂を流し込み、それに彩色したものが使用されていた。よって、実際の調理済み食品に代えて、これを展示会場に展示する方策が容易に想到し得る。  
【０００７】
しかしながら、これらは工芸品ともいえる手作りのものであり、特定の飲食店を対象に少量を作成する場合には適しているが、全国各地で同時開催される多数の展示会のために一度に大量の同一品を作成することは多大の手間とコストを要し、しかも、季節ごとに頻繁に開催される展示会に応じて短時間に大量生産することは困難であった。
【０００８】
また、これらは蝋や塩化ビニール樹脂の塊からなり、重く、しかも嵩張るので展示会場への持ち込みには相応の車両を要し、機動性にも欠けた。
【課題を解決するための手段】
【０００９】
この考案は以上の従来技術の問題点に鑑みて創作されたものであり、一目で参加者が実際の調理済み食品のできあがりのイメージを把握でき、しかも低コストかつ迅速に大量生産が可能で、持ち運びも便利な商品展示会用の装置を提供することを目的とする。
【００１０】
すなわち、この考案の商品展示会用の装置は、食品の写真または絵を施したプラスチックシートを当該食品の立体形状に沿ってシート成形した食品立体見本と、上記食品立体見本を着脱自在に取り付けるための、プラスチックシートをシート成形した食器の組み合わせからなり、上記食器には食品立体見本を受け止めるための受け部を設けることにより食品立体見本の着脱手段とし、食器の受け部の形状および寸法と、食品立体見本の被受け部の形状および寸法を統一することにより、複数種の食品立体見本と複数種の食器を相互に組み合わせ自在としたことを特徴とする。
【考案の効果】
【００１１】
よって、この考案の商品展示会用装置によれば、実際の調理済み食品に代え、それを立体的に再現した食品立体見本を食器に組み合わせたものが展示されるので、参加者は調理済み食品の出来上がりのイメージを容易に把握することができ、反面、出展者は変質や匂い、それに搬送方法に特別の配慮を払わなくて済む効果を得られる。
【００１２】
前記の場合、食品立体見本は調理済み食品の写真または絵を施したプラスチックシートを当該食品の立体形状に沿ってシート成形することにより得られるので、短時間で大量に製作することが可能となり、コスト面のみならず頻繁に開催される展示会に迅速に追従することができる。
【００１３】
一方、食品立体見本は蝋や塩化ビニール樹脂の塊からなる従来技術の食品模型と異なり、プラスチックシートを立体に成形しただけなので軽量で、かつ中空なのでスタッキングも可能となり嵩張らない。
【００１４】
また、食器には食品立体見本を受け止めるための受け部を設けることにより食品立体見本の着脱手段とし、食器の受け部の形状および寸法と、食品立体見本の被受け部の形状および寸法を統一することにより、複数種の食品立体見本と複数種の食器を相互に組み合わせ自在としているので、食品立体見本ごとに個別の食器を用意することが不要となる。
【００１５】
よって、前記２つの作用・効果により専用の車両を要せずとも人手でも食品立体見本と最低種類の食器を展示会場に持ち込むことが可能となり、機動性に富む営業、広告活動を行うことが可能となる。
【図面の簡単な説明】
【００１６】
【図１】この考案の商品展示会用装置の分解斜視図。
【図２】同上、組み立てた状態の斜視図。
【図３】同上、食品立体見本の斜視図。
【図４】同上、食品立体見本の断面図。
【考案を実施するための形態】
【００１７】
図１および２はこの考案の商品展示会用装置の構成を示す分解斜視図である。この展示会用装置は食品の写真または絵２を施したプラスチックシートを当該食品の立体形状に沿ってシート成形した食品立体見本１と、上記食品立体見本を着脱自在に取り付けるための、プラスチックシートをシート成形した食器１０の組み合わせからなる。
【００１８】
図３および４は前記の食品立体見本１の詳細を示す図である。この食品立体見本１はここでは調理済み食品の写真または絵２を施したプラスチックシートを当該食品の立体形状に沿ってシート成形することによって得ている。プラスチックシートとしてはこの実施例では厚み０. ４５ｍｍ程度のＰＰフィラー（ポリプロピレン＋無機物）を想定しているが、
シート成形可能なものであるのなら素材はこれに限られないことはもちろんである。
【００１９】
一方、前記のシート成形にあたっては実際に提供される調理済み食品に基づき、その立体形状に沿った例えば木型などの母型が製造される。
【００２０】
また、シート成形に先立って前記のプラスチックシートには実際の調理済み食品の写真または絵２が施されるが、その手段は印刷の他、食品の写真または絵を印刷したフィルム（図示せず）をプラスチックシートに積層するものであってもよい。
【００２１】
以上のプラスチックシートは前記の母型を用いて、例えば真空成形、圧空成形および真空・圧空成形などの熱成形法によりシート成形されることにより食品立体見本１となる。この場合、シートの延ばされ方が不均一となるため、方眼によるテスト成形などを行い事前に延ばされ具合を計算し、前記の調理済み食品の写真または絵を施す必要がある。
【００２２】
図において符号３は食品立体見本１の下縁をフランジ状に張り出させた張り出し箇所であり、この箇所は下記する食器１０への嵌め込みの際の被受け部３として機能することになる。
【００２３】
食器１０はプラスチックシートをシート成形することにより得られるものであり、内周に係合段部を設けることにより食器側の受け部１１とすることにより、前記の食品立体見本１の下縁の張り出し箇所を被受け部３として利用することを可能とし、嵌め込みを実現している。この場合、食器の受け部１１の形状および寸法と、食品立体見本１の被受け部３の形状および寸法を統一することにより、複数種の食品立体見本と複数種の食器を相互に組み合わせ自在としている。
【符号の説明】
【００２４】
１          食品立体見本
３          被受け部
１０        食器
１１        受け部
【図１】
0003158639.tif 000003
【図２】
0003158639.tif 000004
【図３】
0003158639.tif 000005
【図４】
0003158639.tif 000006